(57)【要約】  テストオーディオ信号をテスト音に変換するためにラウドスピーカーを使用するように適合されたオーディオシステムをイコライジングするためのプロセスおよびデバイス。このプロセスおよびデバイスは、オーディオシステムとポータブルコンピュータデバイスとの間で一方向または双方向に情報を伝えるために赤外線信号を使用することを含むことができ、ポータブルコンピュータデバイスは、テスト音を捕捉し、イコライゼーションプロセスにおいて使用可能であるオーディオパラメータを計算し、オーディオシステムによって再生されるオーディオ信号をイコライジングする際に使用するために、これらのオーディオパラメータをもとのオーディオシステムに送信する。
2019516287.tif 000002
【特許請求の範囲】
【請求項１】
ポータブルコンピュータデバイスに結合されるように適合されたドングルであって、
オーディオシステムによって放射されたテスト音を検出するように適合されたマイクロフォンと、
前記オーディオシステムに赤外線信号を送信するように適合された赤外線送信機であって、前記送信された赤外線信号が、前記検出されたテスト音に基づくオーディオパラメータを前記オーディオシステムに伝える、赤外線送信機と
を含む、ドングル。
【請求項２】
前記送信された赤外線信号が、オーディオシステム制御信号を前記オーディオシステムにさらに伝える、請求項1に記載のドングル。
【請求項３】
前記ポータブルコンピュータデバイスに結合されるように適合されたデジタルコネクタをさらに含む、請求項1に記載のドングル。
【請求項４】
前記デジタルコネクタがUSBコネクタである、請求項3に記載のドングル。
【請求項５】
前記ポータブルコンピュータデバイスに結合されるように構成されたアナログコネクタをさらに含む、請求項1に記載のドングル。
【請求項６】
前記アナログコネクタが、前記ポータブルコンピュータデバイスのアナログジャックと結合されるように適合されたプラグを含む、請求項5に記載のドングル。
【請求項７】
前記オーディオパラメータが、所望のオーディオシステム周波数応答を実現するのに適したイコライゼーションパターンを含む、請求項1に記載のドングル。
【請求項８】
前記オーディオシステムが、ワイヤレススピーカーパッケージを含む、請求項1に記載のドングル。
【請求項９】
テストオーディオ信号をテスト音に変換するためにラウドスピーカーを使用するように適合された第1のオーディオシステムをイコライジングするためのプロセスであって、
リモートデバイスによってテスト音を捕捉することと、
前記捕捉されたテスト音に基づいて、前記第1のオーディオシステムからの所望の周波数応答を実現するために使用可能な情報を計算することと、
前記リモートデバイスに機能的に関連付けられた赤外線送信機によって、一連の赤外線信号として、前記計算された情報をワイヤレスに送信することと、
前記第1のオーディオシステムに機能的に関連付けられた赤外線受信機によって、前記送信された赤外線信号を受信することと、
前記第1のオーディオシステムによって、前記受信された赤外線信号を、前記第1のオーディオシステムからの所望の周波数応答を実現するのに適したオーディオシステムイコライゼーションパターンに変えることと、
前記第1のオーディオシステムのメモリに、スピーカーパッケージイコライゼーションパターンを保存することと
を含む、プロセス。
【請求項１０】
前記第1のオーディオシステムからの所望の周波数応答を実現するために使用可能な前記情報が、前記リモートデバイスによって計算される、請求項9に記載のプロセス。
【請求項１１】
前記第1のオーディオシステムによって、前記ラウドスピーカーから再生されるオーディオにより、前記送信された赤外線信号に関するフィードバックを提供することをさらに含む、請求項9に記載のプロセス。
【請求項１２】
前記赤外線送信機が、前記リモートデバイスに結合されるように適合されたドングルの一部である、請求項9に記載のプロセス。
【請求項１３】
前記ドングルが、前記リモートデバイスのアナログジャックを介して前記リモートデバイスに結合されるように適合される、請求項12に記載のプロセス。
【請求項１４】
前記リモートデバイスがスマートフォンを含む、請求項9に記載のプロセス。
【請求項１５】
前記リモートデバイスが第2のオーディオシステムを含む、請求項9に記載のプロセス。
【請求項１６】
前記第1および第2のオーディオシステムが、各々ワイヤレススピーカーパッケージを含む、請求項15に記載のプロセス。
【請求項１７】
オーディオシステムと通信するように適合されたポータブルコンピュータデバイスを使用する方法であって、前記オーディオシステムが、オーディオ信号を音に変換するために1つまたは複数のラウドスピーカーを使用するように適合され、前記方法が、
前記ポータブルコンピュータデバイスがリスニング空間において第1の位置にある間、前記ポータブルコンピュータデバイスに関連付けられるマイクロフォンによって、前記オーディオシステムがテストオーディオ信号を再生するとき、前記オーディオシステムからの音を受信するステップと、
前記オーディオ信号と前記マイクロフォンによる前記再生されたオーディオ信号の前記受信との間の時間遅延を決定するステップと、
前記受信された再生されたオーディオ信号に基づいて、前記第1の位置の周波数応答を決定するステップと、
前記周波数応答に基づいて、前記オーディオシステムの前記1つまたは複数のラウドスピーカーからの所望の音響プロファイルを実現するのに適したオーディオパラメータを、前記オーディオシステムに送信するステップと
を含む、方法。
【請求項１８】
前記オーディオパラメータが、前記ポータブルコンピュータデバイスによって計算される、請求項17に記載の方法。
【請求項１９】
前記オーディオパラメータが、リモートコンピューティングデバイスによって計算され、次いで前記ポータブルコンピュータデバイスに送信される、請求項17に記載の方法。
【請求項２０】
前記周波数応答に基づく情報が、前記決定された時間遅延を使用して計算された1つまたは複数のオーディオパラメータを含む、請求項17に記載の方法。
【請求項２１】
時間遅延を決定するステップが、前記テストオーディオ信号およびマイクロフォン信号を相関させるステップを含む、請求項17に記載の方法。
【請求項２２】
前記ポータブルコンピュータデバイスによる前記オーディオシステムへの前記送信が、ワイヤレスである、請求項17に記載の方法。
【請求項２３】
ワイヤレス送信が、赤外線信号を使用する、請求項22に記載の方法。
【発明の詳細な説明】
【技術分野】
【０００１】
本開示は、オーディオシステムをイコライジングすることに関する。
【背景技術】
【０００２】
オーディオシステムは、1つまたは複数のトランスデューサ/ラウドスピーカーから音を生成するためにオーディオ信号源を使用する。イコライジングされたシステムでは、周波数応答は、オーディオシステムが配置された部屋またはリスニングエリアにおいてより高品質の音を提供するように修正される。ワイヤレススピーカーパッケージなどのポータブルオーディオシステムの場合、位置は容易に変更され得る。そのようなシステムは、移動されるたびに、または環境が変化する場合に、それらの環境にイコライジングされる場合、より良い音を提供することになる。
【発明の概要】
【課題を解決するための手段】
【０００３】
以下で述べるすべての例および特徴は、任意の技術的に可能な方法で組み合わせることができる。
【０００４】
一態様では、ポータブルコンピュータデバイスに結合されるように適合されたドングルが、オーディオシステムによって放射されたテスト音を検出するように適合されたマイクロフォンと、オーディオシステムに赤外線信号を送信するように適合された赤外線送信機とを含み、送信された赤外線信号が、検出されたテスト音に基づくオーディオパラメータをオーディオシステムに伝える。
【０００５】
実施形態は、以下の特徴のうちの1つ、またはそれらの任意の組合せを含む場合がある。オーディオシステムは、ワイヤレススピーカーパッケージであってもよい。送信された赤外線信号は、オーディオシステム制御信号をオーディオシステムに伝える場合もある。ドングルは、ポータブルコンピュータデバイスに結合されるように適合されたデジタルコネクタを含む場合もある。デジタルコネクタは、USBコネクタであってもよい。ドングルは、ポータブルコンピュータデバイスに結合されるように構成されたアナログコネクタを含む場合もある。アナログコネクタは、ポータブルコンピュータデバイスのアナログジャックと結合されるように適合されたプラグであってもよい。オーディオパラメータは、所望のオーディオシステム周波数応答を実現するのに適したイコライゼーションパターンを含んでもよい。
【０００６】
別の態様では、テストオーディオ信号をテスト音に変換するためにラウドスピーカーを使用するように適合された第1のオーディオシステムをイコライジングするためのプロセスが、リモートデバイスによってテスト音を捕捉することと、捕捉されたテスト音に基づいて、第1のオーディオシステムからの所望の周波数応答を実現するために使用可能な情報を計算することと、リモートデバイスに機能的に関連付けられた赤外線送信機によって、一連の赤外線信号として、計算された情報をワイヤレスに送信することと、第1のオーディオシステムに機能的に関連付けられた赤外線受信機によって、送信された赤外線信号を受信することと、第1のオーディオシステムによって、受信された赤外線信号を、第1のオーディオシステムからの所望の周波数応答を実現するのに適したオーディオシステムイコライゼーションパターンに変えることと、第1のオーディオシステムのメモリに、スピーカーパッケージイコライゼーションパターンを保存することとを含む。
【０００７】
実施形態は、以下の特徴のうちの1つ、またはそれらの任意の組合せを含む場合がある。第1のオーディオシステムからの所望の周波数応答を実現するために使用可能な情報は、リモートデバイスによって計算されてもよく、またはそれはクラウド接続のデバイスなどのリモートデバイスによって計算されてもよい。プロセスは、オーディオシステムによって、ラウドスピーカーから再生されるオーディオにより、送信された赤外線信号に関するフィードバックを提供することを含む場合もある。赤外線送信機は、リモートデバイスに結合されるように適合されたドングルの一部であってもよい。ドングルは、リモートデバイスのアナログジャックを介してリモートデバイスに結合されるように適合されてもよい。リモートデバイスは、たとえば、スマートフォンまたは第2のオーディオシステムであってもよい。第1および第2のオーディオシステムは、各々ワイヤレススピーカーパッケージであってもよい。
【０００８】
別の態様では、オーディオシステムと通信するように適合されたポータブルコンピュータデバイスを使用する方法であって、オーディオシステムが、オーディオ信号を音に変換するために1つまたは複数のラウドスピーカーを使用するように適合され、方法が、ポータブルコンピュータデバイスがリスニング空間において第1の位置にある間、ポータブルコンピュータデバイスに関連付けられるマイクロフォンによって、オーディオシステムがテストオーディオ信号を再生するとき、オーディオシステムからの音を受信するステップと、オーディオ信号とマイクロフォンによる再生されたテストオーディオ信号の受信との間の時間遅延を決定するステップと、再生されたテストオーディオ信号に基づいて、第1の位置の周波数応答を決定するステップと、周波数応答に基づいて、オーディオシステムの1つまたは複数のラウドスピーカーからの所望の音響プロファイルを実現するのに適したオーディオパラメータを、オーディオシステムに送信するステップとを含む。
【０００９】
実施形態は、以下の特徴のうちの1つ、またはそれらの任意の組合せを含む場合がある。オーディオパラメータは、ポータブルコンピュータデバイスによって計算されてもよく、またはオーディオパラメータは、リモートコンピューティングデバイスによって計算され、次いでポータブルコンピュータデバイスに送信されてもよい。周波数応答に基づく情報は、決定された時間遅延を使用して計算された1つまたは複数のオーディオパラメータを含んでもよい。時間遅延を決定するステップは、テストオーディオ信号およびマイクロフォン信号を相関させるステップを含んでもよい。ポータブルコンピュータデバイスによるオーディオシステムへの送信は、ワイヤレスであってもよく、赤外線信号を使用してもよい。
【図面の簡単な説明】
【００１０】
【図１】オーディオシステムをイコライジングするために合わせて使用することができるオーディオシステムおよびポータブルコンピュータデバイスの概略ブロック図である。
【図２】オーディオシステムをイコライジングするために合わせて使用することができる別のオーディオシステムおよび関連するドングルを有するスマートフォンの概略ブロック図である。
【発明を実施するための形態】
【００１１】
オーディオシステムがその環境にイコライジングされる場合、オーディオシステムはより高品質の音を再生することができる。ワイヤレススピーカーパッケージなどのポータブルオーディオシステムの場合、位置は容易に変更されることがある。そのようなシステムは、移動されるたびにそれらの環境にイコライジングされる場合、または環境が変化する場合、より良い音を提供することになる。
【００１２】
その開示が参照により本明細書に組み込まれる米国特許第7,483,540号に、オーディオシステムイコライゼーションが開示されている。本特許は、室内で1つまたは複数の位置に移動されるポータブルコンピュータデバイスを使用してオーディオシステムをイコライジングすることを開示する。オーディオシステムによって放射されたテスト音が、ポータブルコンピュータデバイスによって受信される。様々な位置応答からの平均室内応答により、ポータブルコンピューティングデバイスによってイコライゼーションパターンが計算される。イコライゼーションパターンは、オーディオシステムにダウンロードされ、次いでオーディオシステムはそれをオーディオ信号に適用し、オーディオ信号は音波に変換される。
【００１３】
本開示では、図の要素が、ブロック図中の個別の要素として示され、説明される。これらは、アナログ回路またはデジタル回路の1つまたは複数として実装される場合がある。代替または追加として、これらは、ソフトウェア命令を実行する1つまたは複数のマイクロプロセッサで実装される場合がある。ソフトウェア命令は、デジタル信号処理命令を含むことができる。動作は、アナログ回路によって、またはマイクロプロセッサがアナログ動作に相当することを行うソフトウェアを実行することによって、行われてもよい。信号線は、個別のアナログもしくはデジタル信号線として、別々の信号を処理することができる適切な信号処理を備えた個別のデジタル信号線として、および/またはワイヤレス通信システムの要素として、実装されてもよい。
【００１４】
ブロック図においてプロセスが表される、または暗に示されるとき、ステップは、1つの要素または複数の要素によって行われる場合がある。ステップは、合わせて行われる、または異なる時間に行われる場合がある。活動を行う要素は、物理的に同じもしくは互いに近い場合があり、または物理的に分かれている場合がある。1つの要素は、2つ以上のブロックのアクションを行う場合がある。オーディオ信号は、符号化される、または符号化されない場合があり、デジタル形式またはアナログ形式のいずれかで送信される場合がある。従来のオーディオ信号処理機器および動作は、いくつかの事例では図面から省かれている。
【００１５】
図1は、本開示において使用することができるオーディオシステム60およびポータブルコンピュータデバイス62の非限定的な例を示す。オーディオシステム60は、オーディオ信号源10と、オーディオ信号処理回路12と、1つまたは複数のラウドスピーカー14とを有する。オーディオシステム60はまた、コントローラ72と、ポータブルコンピュータデバイス62との双方向ワイヤレス通信に適合されたトランシーバ70とを含む。非限定的な一例では、オーディオシステム60は、Bose Corporation, Framingham, MAから入手可能なBose(登録商標) SoundLink(登録商標)など、スタンドアロンのポータブルワイヤレススピーカーパッケージである。ポータブルワイヤレススピーカーパッケージは、様々なオーディオ信号源を使用することができ、たとえばポータブルワイヤレススピーカーパッケージは、非限定的なほんの2例として、ポータブルコンピュータデバイス62から、またはインターネットラジオ局から、オーディオ信号を受信することができる。
【００１６】
この非限定的な例では、ポータブルコンピュータデバイス62は、マイクロフォン16、音響測定回路19、コントローラ26、およびイコライゼーション計算回路18を有する。ポータブルコンピュータデバイス62はまた、破線90によって示すように、オーディオシステム60へのおよびオーディオシステム60からの通信を行うトランシーバ74を含む。非限定的な一例では、ポータブルコンピュータデバイス62は、本明細書で説明するリモートデバイス機能を実現するようスマートフォンに命令することができる適切なソフトウェアアプリケーションを有するスマートフォンである。使用することができるスマートフォンの非限定的な一例は、Apple Inc., Cupertino, CAから入手可能なiPhone(登録商標)である。多くのスマートフォンには、マイクロフォン16として使用することができる内蔵マイクロフォンがある。そうでない場合、別個のマイクロフォンを使用し、たとえばアナログまたはデジタルコネクタを介してデバイス62に適切に結合することができる。多くのスマートフォンはまた、回路19、コントローラ26、および回路18を実現するために使用することができる処理機能を有する。デバイス62が他のやり方でシステム60を制御する、またはシステム60と通信するために使用される場合(たとえば、デバイス62がシステム60のリモート制御として別個に動作する場合、またはデバイス62がシステム60によって再生されるオーディオ信号を提供する場合)、コントローラ26は、トランシーバ74から直接出力または入力することができる。多くのスマートフォンはまた、(たとえば、WiFi、Bluetooth(登録商標)、無線周波数(RF)、および/または赤外線ワイヤレス通信機能を使用する)ワイヤレス送信および受信機能を含む。オーディオシステム60とポータブルコンピュータデバイス62との間の双方向ワイヤレス通信は、任意の現在知られているまたは今後開発されるワイヤレス通信技術によって行うことができる。通信は、システム60とデバイス62との間で直接的であることがあり、または通信は、ローカルルータなどを介する、もしくは80に示すようなクラウドを介するなど、間接的であることがある。
【００１７】
オーディオシステム60をイコライジングするための1つの例示的、非限定的なプロセスは、人が、オーディオシステム60が配置された部屋のあちこちにポータブルコンピュータデバイス62を移動させることを含み、システム60は、次いでデバイスマイクロフォン16によって受信される一連のテストトーンを再生する。テストトーンの代わりに、システム60は、次いでマイクロフォン16によって受信されるテストオーディオとして、音楽またはピンクノイズを再生することができる。音楽またはピンクノイズのオーディオ信号は、非限定的な一例では、ポータブルコンピュータデバイス62から生じること、およびwifiおよびローカルルータを介してオーディオシステム60に送信されることがある。受信された音に対応する周波数応答は、次いで、周波数応答、および/または周波数応答に基づく、ラウドスピーカー14からの所望の周波数応答を実現するためにオーディオシステム60によって使用可能である情報を計算するための、当技術分野で知られているタイプの適切なソフトウェアプログラムをコントローラ26が実行することによって計算される。計算された周波数応答に基づくそのような情報は、ラウドスピーカー14からの適切にイコライジングされた音を作り出すためにオーディオシステム60によって使用可能である、フィルタ係数、ゲイン、および/または遅延などのオーディオパラメータを含むことができる。デバイス62によってオーディオパラメータを計算することの代替として、計算は、クラウド80で示されるようなリモートコンピューティングデバイスによって行うことができる。計算されたオーディオパラメータ、および/または周波数応答に基づく情報は次いで、(トランシーバ72を介して)デバイス62から直接的に、またはたとえばwifi/ローカルルータもしくはクラウド80を介して間接的に、オーディオシステム60に送られる。オーディオシステム60はこの情報を、コントローラ72に関連付けられたメモリに保存する。この情報は、次いで、オーディオシステム60によって、オーディオシステム60がラウドスピーカー14を介して再生するオーディオをイコライジングするために使用される。
【００１８】
高品質イコライゼーションは、オーディオ信号源によるイコライゼーションテスト音の励起信号生成と、マイクロフォン16による生じたテスト音の受信との間の時間が一貫性のあることまたはわかっていることを必要とする。このタイミングが一貫性のないことがある状況があり得る。たとえば、システム60およびデバイス62がWiFiおよびローカルルータによりワイヤレスに通信するとき、不明の無線遅延があることがある(たとえば、遅延は、その時のネットワーク品質の状態、およびバッファリングの量に左右されることがある)。また、音響遅延は、不明で、変動する、オーディオシステム60とパーソナルコンピュータデバイス62との間の距離に左右される。そのような状況では、オーディオシステム60をイコライジングするために使用されるオーディオパラメータの計算は、時間遅延を決定するように、オーディオ信号源をマイクロフォン信号と相関させ、次いで伝達関数(周波数応答)が計算されるとき時間遅延を考慮に入れることによって改善することができる。2つの系統(series)間の相関を使用して時間遅延を決定することは、当技術分野で知られている技法である。周波数応答計算に決定された時間遅延を使用することもまた、当技術分野で知られている技法である。相関は、コントローラ26によって行うことができる。相関結果は、次いで、オーディオパラメータの計算においてコントローラ26によって使用することができる。
【００１９】
図2は、本開示において使用することができるオーディオシステム90およびスマートフォン100の第2の非限定的な例を示す。図1のオーディオシステム60およびポータブルコンピュータデバイス62に関して開示したオーディオシステム90およびスマートフォン100のいくつかの詳細は、図面および説明を簡略化するために、図2に関して詳細に論じない。オーディオシステム90は、オーディオ信号源92と、コントローラ94と、ラウドスピーカー96と、トランシーバ99と、赤外線(IR)受信機98とを有する。非限定的な一例では、オーディオシステム90は、Bose Corporation, Framingham, MAから入手可能なBose(登録商標) SoundLink(登録商標)など、スタンドアロンのポータブルワイヤレススピーカーパッケージである。スマートフォン100は、デジタルおよび/またはアナログ入力/出力インターフェース106(たとえば、オーディオジャックおよび/またはUSBポート)と、コントローラ104と、トランシーバ108と、ユーザインターフェース(UI)102とを有する。使用することができるスマートフォンの非限定的な一例は、本明細書で説明する機能を実現するようスマートフォンに命令することができる適切なソフトウェアアプリケーションを搭載した、Apple Inc., Cupertino, CAから入手可能なiPhone(登録商標)である。
【００２０】
ドングル110は、スマートフォン入力/出力106を介してスマートフォン100に機能的に結合されるように構成された別個のデバイスである。スマートフォン100によって受け取られるドングル出力信号は、アナログまたはデジタルであることがある。ドングル110とスマートフォン100の電気的相互接続の非限定的な例は、スマートフォン100のアナログ入力ジャックに合うプラグを介してアナログ接続、およびスマートフォン100のUSBポートまたは他のデジタルポートに合うデジタルコネクタを介してデジタル入力を含む。ドングル110は、オーディオシステム90からのテストトーンの受信機として機能するマイクロフォン112を有することができるが、スマートフォン100がマイクロフォンを含む場合、ドングル110はマイクロフォン112を必要としない。ドングル110は、スマートフォン出力信号をIR信号に変えるように構成されたIR送信機114を含み、IR信号は室内にブロードキャストされ、オーディオシステムIR受信機98によって受信される。代替または追加として、オーディオシステム90およびスマートフォン100は、図1に関して上記で説明したように、またトランシーバ99、トランシーバ108、ワイヤレス通信122、およびクラウド120によって示されるように、ワイヤレスに通信することができる。ドングル110によって変えられ、IRとしてブロードキャストされるスマートフォン出力信号は、限定はしないが、上記で説明したように、スマートフォン100によってまたはクラウドにおいて計算された、オーディオシステム90からの所望の周波数応答を実現するために使用可能なオーディオパラメータまたは情報を含むことができる。スマートフォン100が、オーディオシステムリモートコントロールとして機能するように適合され、ドングル110がリモートコントロール機能に、そのIR受信機98によるオーディオシステム制御を可能にするIR送信機能を追加するとき、ドングル110によってIR信号として送られるスマートフォン出力信号は、ボリュームコントロール、インターネットラジオ局選択、またはオーディオトラック選択などのオーディオシステム制御信号を含むこともできる。
【００２１】
オーディオシステム90とスマートフォン100との間の通信方式の一部として、オーディオシステム90は、受信した送信済みIR信号に関するフィードバックをスマートフォン100に提供することができる。これは、正しい情報がスマートフォンによって送信され、オーディオシステムによって受信されたことを保証するための1つの方法である。フィードバックは、非限定的な一例では、ラウドスピーカー96により行うことができる。たとえば、スマートフォン100からのオーディオパラメータの受信を示すために、固有のトーンまたは一連のトーンが、オーディオシステム90によって再生されることがある。または、トランシーバ99を介して確認応答情報が送られることがある。一例では、スマートフォンは、計算されたオーディパラメータを、それらの受信がオーディオシステム90によって何らかの方法で通知されるまで、送信し続けることができる。
【００２２】
図1および図2に示すシステムは、図面に示した以外の方法で使用可能である構成要素および機能を有する。たとえば、図2のIR通信機能は、図1のシステムで使用することができる。また、図2のスマートフォン100は、テストトーンを受信し、IRおよび/または他のワイヤレス通信信号を送信するように適合された(携帯型であろうとなかろうと)別のデバイスに置き換えることができる。そのようなデバイスの一例は、第2のオーディオシステムであり、たとえば、IR送信機114として使用可能である、既存のIR送信能力を有するスピーカーパッケージ(ワイヤレスまたは非ワイヤレス、および携帯型または非携帯型)、およびマイクロフォン112として使用可能である既存のマイクロフォンである。この場合、スピーカーパッケージ自体がすでにドングル110の機能のすべてを含むので、ドングルの必要がない。
【００２３】
上記で説明したシステムおよび方法の実施形態は、当業者には明らかであるコンピュータ構成要素、およびコンピュータ実装ステップを含む。たとえば、コンピュータ実装ステップは、たとえば、フロッピーディスク、ハードディスク、光ディスク、フラッシュROM、不揮発性ROM、およびRAMなどのコンピュータ可読媒体上に、コンピュータ実行可能命令として記憶される場合があることは、当業者には理解されたい。さらに、コンピュータ実行可能命令は、たとえば、マイクロプロセッサ、デジタル信号プロセッサ、ゲートアレイなどの様々なプロセッサ上で実行される場合があることは、当業者には理解されたい。説明を容易にするために、上述のシステムおよび方法のすべてのステップまたは要素が、コンピュータシステムの一部として本明細書で説明されているわけではないが、各ステップまたは要素が対応するコンピュータシステムまたはソフトウェア構成要素を有する場合があることは当業者には認識されよう。そのようなコンピュータシステムおよび/またはソフトウェア構成要素は、したがってその対応するステップまたは要素(すなわち、その機能)を説明することによって有効にされ、本開示の範囲内にある。
【００２４】
いくつかの実装形態について説明した。それでもなお、本明細書に記載する発明の概念の範囲を逸脱することなく、さらなる変更形態が作製される場合があり、したがって他の実施形態が、以下の特許請求の範囲内にあることは理解されよう。
【符号の説明】
【００２５】
10  オーディオ信号源
12  オーディオ信号処理回路
14  ラウドスピーカー
16  マイクロフォン
18  イコライゼーション計算回路
19  音響測定回路
26  コントローラ
60  オーディオシステム
62  ポータブルコンピュータデバイス
70  トランシーバ
72  コントローラ
74  トランシーバ
80  クラウド
90  オーディオシステム
92  オーディオ信号源
94  コントローラ
96  ラウドスピーカー
98  赤外線(IR)受信機
99  トランシーバ
100  スマートフォン
102  ユーザインターフェース(UI)
104  コントローラ
106  デジタル/アナログ入力/出力インターフェース
108  トランシーバ
110  ドングル
112  マイクロフォン
114  IR送信機
120  クラウド
122  ワイヤレス通信
【図１】
2019516287.tif 000003
【図２】
2019516287.tif 000004
【国際調査報告】
2019516287.tif 000005
2019516287.tif 000006
2019516287.tif 000007